(57)【特許請求の範囲】
【請求項１】
感光性記録媒体を回転自在に収容すると共に前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタと、前記シャッタを前記閉じ位置でロックするロック機構と、を有する感光性記録媒体用カートリッジを挿入可能な挿入口が形成され外部から遮光された内部空間を有する筐体と、
前記挿入口を開閉自在に配設され前記挿入口を閉じたとき前記挿入口を前記外部から遮光する、前記筐体内に設けられた挿入口シャッタと、
前記シャッタの開き位置への移動を阻止する第１のロック位置と前記シャッタの開き位置への移動を許容する第１の解除位置との間で移動自在とされたロック部材を解除をする前記筐体内に設けられたロック解除機構と、
前記感光性記録媒体用カートリッジの前記シャッタを開く、前記筐体内に設けられたシャッタ開放機構と、を有する記録再生装置において、
前記ロック部材は、前記感光性記録媒体用カートリッジの挿入方向先端側の角近傍に設けられたカートリッジシェルを貫通する貫通孔と、前記貫通孔の真下を通って前記カートリッジの挿入方向先端から挿入方向後端に向けてスライドするスライド部材と、から成り、
前記スライド部材は、前記スライド部材の前記カートリッジの挿入方向先端側に、前記シャッタに形成された凹部に不使用時係合する凸部が形成されており、かつ、前記貫通孔に対向する面には、前記貫通孔の前記カートリッジの挿入方向先端側の辺近傍に小孔が形成されており、
前記ロック解除機構は、前記筐体の前記カートリッジの挿入方向先端側に旋回可能に取り付けられてそこから前記挿入方向後端側に延びるアームと、前記アームの先端に取り付けられ前記カートリッジシェルの表面で回転することで移動して前記小孔内に没入できるローラと、から成り、
前記感光性記録媒体用カートリッジの先端が前記挿入口に挿入されてカートリッジの停止位置直前で、前記ロック解除機構の前記ローラが前記カートリッジの前記貫通孔から前記スライド部材の前記小孔内に入り、前記感光性記録媒体用カートリッジの先端の更なる挿入によって前記ローラが前記スライド部材を前記カートリッジの挿入方向後端側にスライドさせることで、前記シャッタの前記凹部に係合していた前記スライド部材の凸部が係合を外れて、ロック解除し、
前記筐体内の遮光を確認後、前記シャッタ開放機構が前記感光性記録媒体用カートリッジの前記シャッタを開くことを特徴とする感光性記録媒体用記録再生装置。
【請求項２】
前記カートリッジシェルを貫通する前記貫通孔および前記スライド部材の小孔は、前記貫通孔および前記小孔の前記カートリッジの挿入方向先端側辺から後端側に向けてなだらかな斜面が形成されていることを特徴とする請求項１記載の感光性記録媒体用記録再生装置。
【請求項３】
前記筐体内に照度センサを置き、前記照度センサの出力の有無で、前記シャッタ開放機構のモータを回転作動させることを特徴とする請求項１記載の感光性記録媒体用記録再生装置。
【発明の詳細な説明】
【技術分野】
【０００１】
本発明は、ホログラム記録媒体などの感光性記録媒体用記録再生装置に関し、特に、感光性記録媒体を遮光状態で収容保管するカートリッジに遮光状態でデータを記録し、または記録されたデータを再生する感光性記録媒体用記録再生装置に関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるＤＶＤよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
特許文献１に記載の発明は、ＤＶＤ−ＲＡＭのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００４】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００５】
【特許文献１】特開２００４―０２９４７６号公報
【特許文献２】特開２００３―３１７４２２号公報
【発明の開示】
【発明が解決しようとする課題】
【０００６】
このようなシャッタを備えたカートリッジを収納して記録再生を行う従来装置にあっては、ロック解除機構は、感光性記録媒体用カートリッジが所定の読み取り・書き込み位置に到着したとき、感光性記録媒体用カートリッジのロック解除を開始し、そしてそのロック解除がなされた後、シャッタ開放機構が感光性記録媒体用カートリッジのシャッタを開くようにしていた。
図１７は従来装置の感光性記録媒体用カートリッジのシャッタ開放までの流れを説明するフローチャートである。第１および第２の解除部材、それに第１および第２ロック部材等の構成については後述する。
図において、カートリッジが装置内の書込み・読取り位置に到着したら（ステップＳ２１）、第２の解除部材が出動して（Ｓ２２）、第２ロック部材のロックを解除する（Ｓ２３）。第２ロック部材のロックが解除されたら、第１の解除部材が出動して（Ｓ２４）、第１ロック部材のロックを解除し（Ｓ２５）、第１ロック部材のロックが解除されたら、次に、シャッタを開放し（Ｓ２６）、シャッタが開放されたら（Ｓ２７）、記録再生が可能となる。
【０００７】
このように、従来装置にあっては、感光性記録媒体用カートリッジが読み取り・書き込み位置に到着したとき、ようやくロック解除が開始され、その後シャッタが開放されるので、記録再生までには長い時間を必要とした。
【０００８】
本発明は、上記事情に鑑みてなされたもので、その目的は、カートリッジが装置内の所定位置に達してからロック解除するのではなくて、それ以前にロック解除してしまい、カートリッジが装置内の所定位置に達したときは、シャッタ開放可能な状態にして、書込み・読取り可能となるまでの時間を短縮した感光性記録媒体用記録再生装置を簡単な構成で実現することにあり、しかも上記シャッタの開放を記録再生装置内に侵入光が無いことを照度センサが確かめて行うようにすることにより、カートリッジ内の感光性記録媒体を不慮の感光から保護することにある。
【課題を解決するための手段】
【０００９】
上記目的は下記構成とすることで達成できる。
（１）感光性記録媒体を回転自在に収容すると共に前記感光性記録媒体の中心と記録面とを外部に露呈させる開口を有するカートリッジ本体と、前記カートリッジ本体の外側に取り付けられて前記開口を閉じる閉じ位置と前記開口を開放する開き位置との間で移動自在に配設されたシャッタと、前記シャッタを前記閉じ位置でロックするロック機構と、を有する感光性記録媒体用カートリッジを挿入可能な挿入口が形成され外部から遮光された内部空間を有する筐体と、
前記挿入口を開閉自在に配設され前記挿入口を閉じたとき前記挿入口を前記外部から遮光する、前記筐体内に設けられた挿入口シャッタと、
前記シャッタの開き位置への移動を阻止する第１のロック位置と前記シャッタの開き位置への移動を許容する第１の解除位置との間で移動自在とされたロック部材を解除をする前記筐体内に設けられたロック解除機構と、
前記感光性記録媒体用カートリッジの前記シャッタを開く、前記筐体内に設けられたシャッタ開放機構と、を有する記録再生装置において、
前記ロック部材は、前記感光性記録媒体用カートリッジの挿入方向先端側の角近傍に設けられたカートリッジシェルを貫通する貫通孔と、前記貫通孔の真下を通って前記カートリッジの挿入方向先端から挿入方向後端に向けてスライドするスライド部材と、から成り、
前記スライド部材は、前記スライド部材の前記カートリッジの挿入方向先端側に、前記シャッタに形成された凹部に不使用時係合する凸部が形成されており、かつ、前記貫通孔に対向する面には、前記貫通孔の前記カートリッジの挿入方向先端側の辺近傍に小孔が形成されており、
前記ロック解除機構は、前記筐体の前記カートリッジの挿入方向先端側に旋回可能に取り付けられてそこから前記挿入方向後端側に延びるアームと、前記アームの先端に取り付けられ前記カートリッジシェルの表面で回転することで移動して前記小孔内に没入できるローラと、から成り、
前記感光性記録媒体用カートリッジの先端が前記挿入口に挿入されてカートリッジの停止位置直前で、前記ロック解除機構の前記ローラが前記カートリッジの前記貫通孔から前記スライド部材の前記小孔内に入り、前記感光性記録媒体用カートリッジの先端の更なる挿入によって前記ローラが前記スライド部材を前記カートリッジの挿入方向後端側にスライドさせることで、前記シャッタの前記凹部に係合していた前記スライド部材の凸部が係合を外れて、ロック解除し、
前記筐体内の遮光を確認後、前記シャッタ開放機構が前記感光性記録媒体用カートリッジの前記シャッタを開くことを特徴とする感光性記録媒体用記録再生装置。
（２）前記カートリッジシェルを貫通する前記貫通孔および前記スライド部材の小孔は、前記貫通孔および前記小孔の前記カートリッジの挿入方向先端側辺から後端側に向けてなだらかな斜面が形成されていることを特徴とする請求項１記載の感光性記録媒体用記録再生装置。
（３）前記筐体内に照度センサを置き、前記照度センサの出力の有無で、前記シャッタ開放機構のモータを回転作動させることを特徴とする請求項１記載の感光性記録媒体用記録再生装置。
（４）前記シャッタは、該シャッタの外周端部に前記カートリッジ本体側に曲げられて形成された屈曲部を有し、前記カートリッジ本体は、前記外周端部に対応する位置に形成された突出部を有していることを特徴とする（１）〜（３）のいずれか１項記載の感光性記録媒体用カートリッジ。
（５）前記屈曲部が、前記外周端部の、該シャッタを開く方向に移動する側の端部に形成されていることを特徴とする（４）記載の感光性記録媒体用カートリッジ。
（６）前記シャッタは、前記開口を開閉するようにスライド移動する第１遮光板部と、該第１遮光板部の、前記シャッタを開く方向に移動する側の先端に、垂直に立設された第２遮光板部と、該第２遮光板部に対して前記シャッタが閉じる方向に垂直に立設された第３遮光板部とを有し、
前記カートリッジ本体に、前記シャッタが閉じ位置にあるときに、前記第１遮光板部と前記第３遮光板部の間に挿入される突条が設けられていることを特徴とする（４）又は（５）記載の感光性記録媒体用カートリッジ。
（７）前記シャッタは、前記開口を開閉するようにスライド移動する第１遮光板部と、該第１遮光板部の、前記シャッタを開く方向に移動する側の先端に、垂直に立設された第２遮光板部とを有し、
前記突出部が、前記シャッタが閉じ位置にあるときに、前記第１遮光板部に対向するように形成された突出部上面と、前記第２遮光板部に対向するように形成された突出部側面とが設けられていることを特徴とする（４）又は（５）記載の感光性記録媒体用カートリッジ。
（８）前記シャッタは、前記開口を開閉するようにスライド移動する第１遮光板部と、該第１遮光板部の、前記シャッタを開く方向に移動する側の先端に、垂直に立設された第２遮光板部と、該第２遮光板部に対して前記シャッタが開く方向に垂直に立設された第３遮光板部とを有し、
前記カートリッジ本体は、シャッタが閉じ位置にあるときに、前記第１遮光板部に対向するように形成された突出部上面と、前記第２遮光板部に対向するように形成された突出部側面と、該突出部上面の内側にオフセットされ、前記第３遮光板部に対向するように形成されたシャッタ摺動面とが設けられていることを特徴とする（４）又は（５）記載の感光性記録媒体用カートリッジ。
（９）前記カートリッジ本体は、前記感光性記録媒体に対する内面と、前記シャッタに対する外面とに、表面粗さＲａ５〜２０μｍのマット加工、またはシボ加工が施されていることを特徴とする（１）〜（８）のいずれか１つに記載の感光性記録媒体用カートリッジ。
（１０）前記カートリッジ本体は、略板形状の第１シェルと、この第１シェルに重ね合わされて溶着される第２シェルから成り、前記第１シェル及び第２シェルは、同一または類似の熱可塑性プラスチックで形成され、かつ前記シャッタを含むその他の部品は、該第１シェル及び第２シェルと異なる材質で形成されていることを特徴とする（１）〜（９）のいずれか１つに記載の感光性記録媒体用カートリッジ。
（１１）前記第１シェル及び第２シェル、ならびにシャッタは、その成形に用いられるプラスチックに遮光性物質が０．０１〜５．００質量％添加されていることを特徴とする（１）〜（１０）のいずれか１つに記載の感光性記録媒体用カートリッジ。
（１２）前記第１シェル及び第２シェルと、シャッタは、その成形に用いられるプラスチックにカーボンブラックが０．０１〜２．００質量％添加されていることを特徴とする（１）〜（１１）のいずれか１つに記載の感光性記録媒体用カートリッジ。
（１３）前記第１シェル及び第２シェルと、シャッタは、その成形に用いられるプラスチックにシリコーン系滑剤が０．１〜５．０質量％添加されていることを特徴とする（１）〜（１２）のいずれか１つに記載の感光性記録媒体用カートリッジ。
（１４）前記感光性記録媒体としてホログラム記録媒体を（１）〜（１３）のいずれか１つに記載の感光性記録媒体用カートリッジに収容したことを特徴とするホログラム記録媒体内蔵カートリッジ。
【発明の効果】
【００２３】
本発明の感光性記録媒体用記録再生装置によれば、遮光された記録再生装置に該カートリッジを挿入してから、書込み・読取り可能となるまでの時間を簡単な構成で短縮すると共に、感光性記録媒体を誤開放することのない記録再生装置が得られる。
【発明を実施するための最良の形態】
【００２４】
以下、本発明の実施形態を図面に基づいて詳しく説明する。
図１〜図３は本発明の実施形態である記録再生装置のロック解除機構を示す斜視図で、３つの図を通して、（１）〜（６）は時間の経過を示している。
〈ロック解除機構の構成〉
図１において、２０１は感光性記録媒体用カートリッジ２の挿入方向先端側の角近傍に設けられたカートリッジシェルを貫通する貫通孔である。この貫通孔２０１は細長い長孔をしており、カートリッジの挿入方向先端側の短辺から後端側の短辺に向けてなだらかな斜面２０１ａが形成されており、一方、後端側の短辺は垂直面としてあり、これによってカートリッジの挿入が続いてもロック解除アームのローラ７９０ａが貫通孔２０１から飛び出ないようになり、またカートリッジが抜き去られるときにはローラ７９０ａが貫通孔２０１からスムーズに退却することができるようになる。
なお、ここではローラ７９０ａを用いた例で説明するが、本発明はローラ７９０ａに限定されるものではなく、貫通孔２０１に挿入されるような部材であればなんでもよい（ここでは総称的に「没入部材」と称する。）
【００２５】
貫通孔２０１の真下をカートリッジの挿入方向先端から挿入方向後端に向けてスライド部材２０２がスライドする構成となっている。すなわち、２本のレール２０３、２０３がカートリッジシェルの裏側にカートリッジの挿入方向先端から挿入方向後端に向けて平行に設けてあり、２本のレール２０３、２０３には互いに対向する側の中央に溝２０３ａがレール２０３、２０３の長さ方向に形成されている。
【００２６】
スライド部材２０２は、断面長方形の長尺状をしており、それの貫通孔２０１に対向する面にはカートリッジの挿入方向先端側の辺近傍に小孔２０２ａが形成されている。
また、レール２０３、２０３に対向する面には、レール２０３、２０３の溝２０３ａ、２０３ａに入り込む凸部２０２ｂ、２０２ｂが形成されており、これによってスライド部材２０２はレール２０３、２０３の間を長さ方向にスライドできるようになる。
さらにスライド部材２０２のカートリッジの挿入方向先端側に、シャッタ５６に形成された凹部５６ｅに不使用時に係合する凸部２０２ｃが形成されている。
【００２７】
スライド部材２０２の小孔２０２ａはカートリッジの挿入方向先端側の短辺から後端側の短辺に向けてなだらかな斜面２０１ａが形成されており、一方、後端側の短辺は垂直面としてあり、これによってロック解除アーム７９０のローラ７９０ａが小孔２０２ａに没入した後、カートリッジの挿入が続いてもローラ７９０ａが小孔２０２ａから飛び出ないようになり、またカートリッジが抜き去られるときにはローラ７９０ａが小孔２０２ａからスムーズに退却することができるようになる。ローラ７９０ａが小孔２０２ａに没入した後、カートリッジの挿入が続くとスライド部材２０２はスライドし始め、ローラ７９０ａが貫通孔２０１の垂直壁に当たってスライドは終了する。そして、スライド部材２０２がカートリッジ２の挿入方向後端側にスライドすることによって、スライド部材２０２の凸部２０２ｃがシャッタ５６に形成された凹部５６ｅから外れて、シャッタはロック解除される。
【００２８】
ロック解除機構は、先端にローラ７９０ａを取り付けたアーム７９０で実現している。アーム７９０は一端（ローラ７９０ａのない側）を筐体１０のカートリッジの挿入方向先端側に旋回可能に取り付けられており、そこから挿入方向後端側に延びて、アーム先端に取り付けられたローラ７９０ａがカートリッジシェルの表面を回転するようになっている。アーム７９０は図示のないスプリング等によって下方（カートリッジ側）に押圧されている。
【００２９】
なお、記録ディスク４（図１０）は両面への記録が可能であるため、カートリッジ２は、Ａ面２ａまたはＢ面２ｂのいずれもが上方に向けられて記録再生装置１０にセットされるが、装填面が異なると、ロック機構のアーム７９０の位置が左右で反転する。そのため、カートリッジ２が反転して装填された場合でも貫通孔２０１に係合できるように、反転装填時用のアーム７９０を別途備えている（図４参照）。
【００３０】
また、一対のローラ７９０ａ、７９０ａを取り付けるアーム７９０，７９０は、図示しないバネによって下方に向けて付勢されているので、一方のローラ７９０ａがに没入している際に、他方のローラ７９０ａはカートリッジ２の表面に当接し状態を維持し、邪魔になることはない。
【００３１】
〈ロック解除機構の動作〉
次に、上記ロック解除機構の動作について説明する。
感光性記録媒体用カートリッジ２の先端が挿入口９１（図４）に挿入されて進むと、ロック解除機構のアーム７９０の先端のローラ７９０ａがカートリッジ２の上に乗り上げる（図１（１）参照）。
【００３２】
さらにカートリッジ２の挿入が進むと、ローラ７９０ａは貫通孔２０１に接近する（図１（２）参照）。このときは、スライド部材２０２の挿入方向先端側に形成された凸部２０２ｃはシャッタ５６に形成された凹部５６ｅに係合したままである（同、右図参照）。
【００３３】
さらに、カートリッジ２の挿入が進むと、ローラ７９０ａは貫通孔２０１の斜面を転がり下りてスライド部材２０２の小孔２０２ａに入り込む（図２（３）参照）。このときは、スライド部材２０２はまだスライドしていないので、スライド部材２０２の凸部２０２ｃはシャッタ５６の凹部５６ｅに係合したままである（同、右図参照）。
【００３４】
さらに、カートリッジ２の挿入が進むと、スライド部材２０２の小孔２０２ａに入り込み、そしてローラ７９０ａはスライド部材２０２を挿入方向後端側に押し下げることとなる（図２（４）参照）。このスライド部材２０２のスライドにより、スライド部材２０２の凸部２０２ｃはシャッタ５６の凹部５６ｅから、外れ図で下方に下がる（同、右図参照）。この位置でカートリッジ２の挿入動作は終了する。
【００３５】
〈シャッタ開放機構の動作〉
上記のようにロック解除されたら、照度センサが遮光を確認した後（これについては後述）、次のようにしてシャッタが開放される。
シャッタ開放機構８０（図４）の駆動モータ８３が回転すると、その回転軸に固定されたリードねじ８２を回転させることで操作片８１ａ（図３参照）が被操作部５６ｄに接近してこれを押圧し、シャッタ１３（図４）を開き位置にスライドさせる（図３（５））。
【００３６】
駆動モータ８３がさらに回転すると、操作片８１ａは被操作部５６ｄをシャッタ１３（図４）を開き位置にまでスライドさせて、駆動モータ８３の回転は終了し、スライドは停止する（図３（６））。この後、記録再生が開始される。
【００３７】
以上、ロック解除機構をアーム７９０とその先端に設けたローラ７９０ａとで説明したが、本発明のロック解除機構はこれに限定されるものではない。
例えば、図１〜図３に用いたスライド部材２０２を次のように変形させて、ロック解除機構もこれに対応するように変形させてもよい。
スライド部材２０２をカートリッジの壁面内部に沿ってスライドさせ、カートリッジの壁面には、長孔をカートリッジの挿入方向に、係合解除可能なストローク分の長さをあけておく。スライド部材２０２には小孔２０２ａに代えて、スライド部材２０２から長孔を貫通して（すなわち、カートリッジの壁面を貫通して）カートリッジの側面から突出する突起物を形成しておく。記録再生装置側にはカートリッジの挿入時にこの突起物の接近を押さえるストッパを設けておくことで、カートリッジは所定の位置に進むが、突起物（すなわち、スライド部材）はストッパで進行を阻まれるため、カートリッジが所定の位置に到達したときに、スライド部材だけ後方にスライドしているので、図２（４）と同じ状態になり、スライド部材２０２の凸部２０２ｃはシャッタ５６の凹部５６ｅから、外れ図で下方に下がり、この位置でカートリッジ２の挿入動作は終了し、シャッタの開放が可能となる。
【００３８】
図４および図５は記録再生装置の概略構成図である。図４および図５に示すように、カートリッジ２を装填して使用される記録再生装置１０は、カートリッジ２を挿入可能な挿入口９１が形成され、外部から遮光された内部空間９２を有する筐体９０を備える。挿入口９１は、ピン９３を中心として回動自在に筐体９０の内部に配設された挿入口シャッタ９４により開閉される。挿入口シャッタ９４は、捩じりコイルばね９６の一端が係止されて挿入口シャッタ９４を閉じる方向に付勢している。挿入口９１には、その開口全周に亘って遮光部材９５が固着されており、挿入口シャッタ９４が閉じられたとき挿入口シャッタ９４と協働して挿入口９１を外部から遮光する。
筐体９０内には、上述のロック解除機構７８およびシャッタ開放機構８０が組み込まれている。
【００３９】
シャッタ開放機構８０は、スライド部材５６の被操作部５６ｄの外側に当接する一対の操作片８１ａ，８１ｂと、両端側に右ねじ８２ａおよび左ねじ８２ｂがそれぞれ形成されたリードねじ８２を備える。リードねじ８２の右ねじ８２ａには操作片８１ａが螺合し、左ねじ８２ｂには操作片８１ｂが螺合している。リードねじ８２の一端には、駆動モータ８３の回転軸が固定されてリードねじ８２を時計方向または反時計方向に回転させるようになっている。
【００４０】
リードねじ８２が反時計方向に回転すると、操作片８１ａ，８１ｂは互いに接近する方向に移動して被操作部５６ｄを押圧し、シャッタ１３を開き位置にスライドさせる。操作片８１ａ，８１ｂを一対設けたのは、カートリッジ２の反転挿入に対応するためである。
【００４１】
筐体９０の内部には、筐体９０内の明るさを検出する照度センサ９８（図５）が配設されている。図６は、照度センサ９８の検出フローを説明する図である。
それによれば、上記のようにロック解除されたカートリッジ２が所定の位置に達する前に、照度センサ９８が筐体９０内の明るさを検出し、所定の照度以下であると筐体９０が遮光されていると判断し（Ｓ２）、駆動モータ８３を回転させてリードねじ８２を反時計方向に回転させる（Ｓ３）。これにより、リードねじ８２の右ねじ８２ａおよび左ねじ８２ｂに螺合する操作片８１ａ，８１ｂは互いに接近する方向に移動して被操作部５６ｄを押圧し、シャッタ１３を移動させて開く。そして、記録ディスク４を回転させながら図示しないヘッドによりデータを記録し、または記録されたデータを再生する。
【００４２】
尚、照度センサ９８で検出した照度が所定の照度以上であると（Ｓ２）、記録ディスク４を感光させるおそれがあるので、シャッタ１３を開くことなく表示装置（図示せず）に警告を表示したり、カートリッジ２を記録再生装置１０から排出するなどして使用者の注意を喚起する（Ｓ４）。
このように、ロック機構は、カートリッジ２を記録再生装置１０に挿入することにより自動的にロック解除され、更に記録再生装置１０が遮光された後にシャッタ１３が開くので記録ディスク４の感光を確実に防止することができる。
【００４３】
また、図７〜図９はホログラム記録媒体用カートリッジ（以下、カートリッジと省略する）の外観形状を示す斜視図であり、図７はカートリッジの一方の面を上方にした状態を示す斜視図、図８は反対側の面を上方にした状態を示す斜視図、図９はシャッタが開き位置にあり、ディスク収容部に円板形状のホログラム記録媒体（以下、記録ディスクと称する）が回転自在に収容された状態を示す斜視図である。
【００４４】
次に、本発明が対象としている遮光性の各機構を備えたカートリッジ２について説明する。図７〜図９に示すように、カートリッジ２は、このカートリッジを取り扱うホログラム記録装置等の記録再生装置１０に対し、矢印Ｃ方向から装填される。カートリッジ２の装填方向先端の両側面には、カートリッジ２がホログラム記録装置等の記録再生装置１０に装填された際に、記録再生装置１０に設けられた位置決め部材が挿入される位置決め溝７（図７）、８（図８）が設けられている。
【００４５】
記録ディスク４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面２ａまたはＢ面２ｂのいずれかを上にして記録再生装置（ホログラム記録装置）１０にセットされる。
【００４６】
カートリッジ２は、ディスク収容部３が設けられたカートリッジ本体１１と、このカートリッジ本体１１の外側を挟み込むようにして取り付けられる遮光板１２と、カートリッジ本体１１と遮光板１２との間に組み込まれるシャッタ１３とを備えている。遮光板１２の上下面には、第２の開口である略長方形の外部開口１４、１５が形成されている。これらの外部開口１４,１５は、シャッタ１３が閉じ位置にあるときに、第１シャッタ５５ａ,第２シャッタ５５ｂによって閉じられている。
【００４７】
図９に示すように、シャッタ１３が矢印Ｄ方向の開き位置に向けて移動すると、外部開口１４,１５とともに、外部開口１４,１５に対面するようにカートリッジ本体１１に設けられている同形状の内部開口１８,１９が開放される。これにより、ディスク収容部３内に収容されている記録ディスク４の中心部４ａと、記録面４ｂとが外部に露呈される。
【００４８】
シャッタ１３は、内蔵するシャッタバネによって閉じ位置に付勢され、かつロック機構によって閉じ位置でロックされている。ロック機構の解除は、位置決め溝７内に突出されている第２のロック部材６４をカートリッジ２内に押し込み、その状態でカートリッジ２のＡ面２ａ及びＢ面２ｂの開口７３,７２から露呈されている第１のロック部材６３をカートリッジ装填方向の後端側にスライドさせる。このように、シャッタ１３は、２段階の操作を行なわなければ解除されないロック機構によって閉じ位置でロックされているため、シャッタ１３が不用意に開放されることはない。
【００４９】
図１０は、カートリッジの構成を示す分解斜視図、図１１は図１０におけるＶＩ−ＶＩ矢視断面図、図１２は図１０におけるＶＩＩ−ＶＩＩ矢視断面図である。また、図１３（Ａ）はカートリッジの装填方向の断面図、（Ｂ）は（Ａ）の前端縁部分の拡大図、（Ｃ）は（Ａ）の後端縁部分の拡大図、図１４はカートリッジの装填方向に直交する方向の断面図であり、（Ａ）はシャッタが閉じた状態の断面図、（Ｂ）はシャッタが開いた状態の断面図、図１５は図１４における円Ｘで囲まれた部分の拡大図、図１６は図１４における円ＸＩで囲まれた部分の拡大図である。
【００５０】
図１０に示すように、カートリッジ本体１１は、略板状の第１シェル２５と、この第１シェル２５に接合される第２シェル２６と、第１シェル２５と第２シェル２６との間に組み込まれてシャッタ１３のロックを行なうロック機構２７とから構成されている。
【００５１】
第１シェル２５と第２シェル２６は、例えば、遮光性物質と滑剤とが添加された同一または類似の熱可塑性プラスチックを用いて、射出成形により形成されている。カートリッジ２の後端縁部の拡大した断面図である図１３（Ｃ）に示すように、第１シェル２５の内面には、記録ディスク４の外径よりも大きな径で形成された突条である第１の遮光壁３０と、この第１の遮光壁３０の外側に設けられた第２の遮光壁３１と、端縁全周に設けられた突条３２とが設けられている。第１の遮光壁３０の内側には、記録ディスク４の中心部４ａと記録面４ｂとを外部に露呈させる内部開口１８が設けられている。
【００５２】
第２シェル２６の内面には、記録ディスク４の外径よりも大きな径で形成された突条であり、第１シェル２５の第１の遮光壁３０と第２の遮光壁３１との間に挿入される第３の遮光壁３５と、端縁全周に設けられた突条３６とが設けられている。第３の遮光壁３５の内側には、記録ディスク４の中心部４ａと記録面４ｂとを外部に露呈させる内部開口１９が設けられている。
【００５３】
第２シェル２６の第３の遮光壁３５の内側に記録ディスク４を乗せ、第１シェル２５を第２シェル２６の上面に重ね合わせると、第３の遮光壁３５が第１の遮光壁３０と第２の遮光壁３１との間に挿入され、第３の遮光壁３５の先端が第１シェル２５の内面２５ｅに当接する。ディスク収容部３は、これらの遮光壁３０、３１、３５と、第１シェル２５及び第２シェル２６の内面とによって形成される。ディスク収容部３の側壁は、３枚の遮光壁３０，３１,３５が入り組んで形成されたラビリンス状の遮光構造となる。そのため、第１シェル２５及び第２シェル２６の合せ目から光や塵芥が入り込んでも、これらがディスク収容部３内にまで進入することはない。
【００５４】
また、第２シェル２６の第３の遮光壁３５の先端は、超音波溶着によって第１シェル２５の内面２５ｅに固着される。これにより、第１シェル２５と第２シェル２６とが強固に接合されるため、両者の合せ目に隙間が開くようなことはない。
【００５５】
図１０、および図１３〜図１６に示すように、第１シェル２５及び第２シェル２６の外面には、遮光板１２の形状より僅かに大きく、且つ遮光板１２の厚み以上の深さの段差部２５ｄ,２６ｄを有し、内側にオフセットさせた遮光板取付面２５ａ,２６ａが形成されている。
【００５６】
遮光板１２の材質には、遮光性、耐食性、装飾性、加工性を得ることができ、かつ軽量で強度のあるものとして、例えばアルミニウム合金が用いられている。なお、遮光板１２はプラスチックで形成してもよいが、遮光性と、シャッタ１３の滑り性とを確保するために、遮光性物質と滑剤とが添加されたプラスチックを用いるとよい。
【００５７】
図１０〜図１２に示すように、遮光板１２は、アルミニウム合金の薄板に外部開口１４,１５と、シャッタ１３の移動範囲を得るための切欠４０とを形成し、断面が略コ字形状となるように屈曲させたものである。これにより、遮光板１２には、外部開口１４,１５をそれぞれ有する第１の板部１２ａ及び第２の板部１２ｂと、切欠４０を有し第１の板部１２ａと第２の板部１２ｂとを連設させる第３の板部１２ｃとが設けられている。
【００５８】
第３の板部１２ｃと第１の板部１２ａ及び第２の板部１２ｂとの稜線部、およびカートリッジ２の装填方向Ｃ両側の２辺と装填方向Ｃと直交する方向の１辺との各交差部には切り込みが入れられて、第１の板部１２ａ及び第２の板部１２ｂの外周端部が互いに接近する方向（換言すれば、カートリッジ本体１１に取り付けられたときカートリッジ本体１１に向かう方向）に略ヘの字形に曲げられている。これにより、第１の板部１２ａ及び第２の板部１２ｂの外周端部には、略ヘの字形の屈曲部１２ｄが形成されている。この屈曲部１２ｄは、外周端部の３辺すべてに形成するのが遮光性能上から望ましいが、これに限定されない。
【００５９】
遮光板１２は、第１の板部１２ａ及び第２の板部１２ｂでカートリッジ本体１１のＢ面２ｂ及びＡ面２ａとを挟み込み、かつ第３の板部１２ｃでカートリッジ本体１１の装填方向Ｃの先端を覆うようにして、カートリッジ本体１１の遮光板取付面２５ａ,２６ａに取り付けられる。遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。また、図１３から図１６に示すように、第１の板部１２ａ及び第２の板部１２ｂの各屈曲部１２ｄの先端は、それぞれ第１シェル２５及び第２シェル２６の段差部２５ｄ,２６ｄに対向して位置する。
【００６０】
図１０に示すように、遮光板１２の第１の板部１２ａ及び第２の板部１２ｂの外周には、略等間隔で小さな穴４９が形成されている。また、第１シェル２５及び第２シェル２６の遮光板取付面２５ａ,２６ａには、遮光板１２の穴４９に対応する位置に、遮光板１２の厚みよりも僅かに長いピン５０が一体に形成されている。
【００６１】
図１３から図１６に示すように、遮光板１２がカートリッジ本体１１の外側（遮光板取付面２５ａ,２６ａ）に取り付けられると、第１シェル２５及び第２シェル２６のピン５０が穴４９に挿入され、遮光板１２の表面から突出される。遮光板１２は、その弾性力に抗して屈曲部１２ｄの先端部が遮光板取付面２５ａ,２６ａに押圧されながら、各ピン５０の先端が熱で潰されることによりカートリッジ本体１１に固着される。
これにより、遮光板１２の各屈曲部１２ｄの先端は、それぞれ段差部２５ｄ,２６ｄに対向して位置すると共に、遮光板１２の弾性力により遮光板取付面２５ａ,２６ａに押圧されて隙間なく当接する。即ち、遮光板１２の外周端部（各屈曲部１２ｄの先端）と遮光板取付面２５ａ,２６ａは隙間がない状態で密着する。更に、遮光板１２の外周端部は、段差部２５ｄ,２６ｄにより覆われるので、例え、部品精度誤差などに起因して部分的に隙間があっても確実に光の回り込みを防止して遮光する。
【００６２】
なお、遮光板１２のカートリッジ本体１１への固着方法としては、これ以外に、接着剤や両面テープ、ねじ止め等を用いることができる。また、遮光板１２をプラスチックで形成した場合には、各種溶着を用いることもできる。
【００６３】
図１０に示すように、シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、遮光板１２と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００６４】
シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃとを備えている。
【００６５】
第１シェル２５と第２シェル２６との外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１３はカートリッジ本体１１と遮光板１２との間をスムースに移動することができるため、移動による切屑等の発生を抑えることができる。なお、シャッタ摺動面２５ｂ,２６ｂは、入射した光を拡散するために、粗面にしてもよい。同様に遮光板１２の内面、及びシャッタ１３の内面及び外面も粗面にしてもよい。
【００６６】
スライド部材５６は、上面がカートリッジ本体１１の装填方向先端面から露出されるように、第１シェル２５と第２シェル２６との間にスライド自在に組み込まれる。スライド部材５６の上面端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００６７】
図１３（Ｂ）及び図４に示すように、スライド部材５６の側面には、長手方向に沿って溝５６ｃが形成されている。この溝５６ｃには、第１シェル２５及び第２シェル２６の装填方向先端側の内面に設けられた突条２５ｃ,２６ｃが挿入される。この溝５６ｃと突条２５ｃ,２６ｃとにより、スライド部材５６はカートリッジ本体１１から外れることなく、スライド移動することができるようになる。
【００６８】
スライド部材５６の他方の上面端部には、シャッタ１３を開く際に操作される被操作部５６ｄが一体に形成されている。この被操作部５６ｄは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、被操作部５６ｄとの干渉を避けるために設けられている（図９参照）。
【００６９】
シャッタ１３は、シャッタバネ５９により閉じ方向に付勢されている。シャッタバネ５９は、例えば、捩じりコイルバネからなり、その両端は、スライド部材５６と、第１シェル２５の内面とに係止されている。
【００７０】
尚、第１シェルと第２シェルとの固着に超音波溶着を用いたが、その他の溶着方法及び固着方法を用いてもよい。例えば、ネジなどで固着する場合には、ネジ穴の周囲にも遮光構造を形成するのが好ましい。また、第２シェル及び第１シェルを１部品で構成したが、複数の部品を組みあわせて形成してもよい。例えば、シャッタ収納部を境にして２部品で構成すれば、金型の簡易化を図ることができる。
【００７１】
更に、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。
【図面の簡単な説明】
【００７２】
【図１】本発明の実施形態である記録再生装置のロック解除機構を示す斜視図で、、時間の経過（１）〜（２）を示している。
【図２】図１に続く時間の経過（３）〜（４）を示している。
【図３】図２に続く時間の経過（５）〜（６）を示している。
【図４】本発明の実施形態である記録再生装置の構成を示す斜視図である。
【図５】記録再生装置の概略構成図である。
【図６】記録再生装置の筐体内の照度チェックを説明するフローチャート図である。
【図７】カートリッジの外観形状を示す外観斜視図である。
【図８】カートリッジの反対側の面を示す外観斜視図である。
【図９】カートリッジのシャッタ開放状態を示す外観斜視図である。
【図１０】カートリッジの構成を示す分解斜視図である。
【図１１】図１０におけるＶＩ−ＶＩ矢視断面図である。
【図１２】図１０におけるＶＩＩ−ＶＩＩ矢視断面図である。
【図１３】カートリッジの装填方向の断面図であり、（Ａ）は全体図、（Ｂ）は（Ａ）の前端縁部分の拡大図、（Ｃ）は（Ａ）の後端縁部分の拡大図である。
【図１４】カートリッジの装填方向に直交する方向の断面図であり、（Ａ）はシャッタが閉じた状態の断面図、（Ｂ）はシャッタが開いた状態の断面図である。
【図１５】図１４における円Ｘで囲まれた部分の拡大図である。
【図１６】図１４における円ＸＩで囲まれた部分の拡大図である。
【図１７】従来装置に係る感光性記録媒体用カートリッジのシャッタ開放までの流れを説明するフローチャートである。
【符号の説明】
【００７３】
２  カートリッジ（感光性記録媒体用カートリッジ）
４  記録ディスク（感光性記録媒体、ホログラム記録媒体）
４ａ  感光性記録媒体の中心
４ｂ  感光性記録媒体の記録面
１０  記録再生装置
１１  カートリッジ本体
１３  シャッタ
１８  内部開口（開口）
１９  内部開口（開口）
８０  シャッタ開放機構
９０  筐体
９１  挿入口
９４  挿入口シャッタ
９８  照度センサ
１００  記録再生システム
２０１  貫通孔
２０１ａ  斜面
２０２  スライド部材
２０２ａ  小孔
２０２ｂ  凸部
２０２ｃ  凸部
２０３  レール
２０３ａ  溝
５６ｅ  凹部
７９０  アーム
７９０ａ  ローラ
【図１】
0004580854.tif 000002
【図２】
0004580854.tif 000003
【図３】
0004580854.tif 000004
【図４】
0004580854.tif 000005
【図５】
0004580854.tif 000006
【図６】
0004580854.tif 000007
【図７】
0004580854.tif 000008
【図８】
0004580854.tif 000009
【図９】
0004580854.tif 000010
【図１０】
0004580854.tif 000011
【図１１】
0004580854.tif 000012
【図１２】
0004580854.tif 000013
【図１３】
0004580854.tif 000014
【図１４】
0004580854.tif 000015
【図１５】
0004580854.tif 000016
【図１６】
0004580854.tif 000017
【図１７】
0004580854.tif 000018